(57)【要約】【課題】  液晶表示パネルを固定する前面枠の側壁を背低に形成することにより薄型化を実現した液晶表示装置を提供すること。【解決手段】  液晶表示パネル２と、バックライトユニット５と、上述の各部材を収容するケース６と、前記ケース６内に収容された各部材を固定する額縁状の前面枠１３と、を備える液晶表示装置１において、前記前面枠１３は、その側壁を前記ケース６の側壁の内壁面に接触させるように取り付けられ、かつ前記前面枠１３の側壁及び前記ケース６の側壁に設けられた係止部１３０、６０により固定されており、前記ケース６の係止部６０はその側壁に設けた開口８１の開口端縁の一部を内側へ窪ませた係止爪８１ａからなり、前記前面枠６の係止部６０はその側壁に設けた係止穴からなり、前記係止穴の周端が前記係止爪に係止されることにより前記前面枠６の取り付けが行われる。【選択図】        図６
2006163101.tif 000002
【特許請求の範囲】
【請求項１】
液晶表示パネルと、前記液晶表示パネルを照明するバックライトユニットと、前記各部材
を収容するケースと、前記ケース内に収容された各部材を固定する額縁状の前面枠と、を
備える液晶表示装置において、前記前面枠は、その側壁を前記ケースの側壁の内壁面に接
触するように取り付けられ、かつ前記前面枠の側壁及び前記ケースの側壁に設けられた係
止部により固定されており、前記ケースの係止部はその側壁に設けた開口の開口端縁の一
部を内側へ窪ませた係止爪からなり、前記前面枠の係止部はその側壁に設けた係止穴から
なり、前記係止穴の周端が前記係止爪に係止されることにより前記前面枠の取り付けが行
われていることを特徴とする液晶表示装置。
【請求項２】
前記係止爪の先端部と、前記係止穴の前記係止爪に接触する周縁部は、何れも平坦面から
なり、前記前面枠を前記ケースに取り付ける際に、前記係止爪の先端部と前記係止穴の周
縁部とが平面接触で係止されていることを特徴とする請求項１に記載の液晶表示装置。
【発明の詳細な説明】
【技術分野】
【０００１】
本発明は、液晶表示装置に係り、さらに詳しくは、液晶表示パネルを収容した外枠への
前面枠の取付け構造を改良した液晶表示装置に関する。
【背景技術】
【０００２】
液晶表示装置は、通常、有底の箱型ケースにバックライトユニットを収容し、その上に
液晶表示パネルを載置し、前面枠で上記各部材を一体に固定した構成を有している。上述
の前面枠を箱型ケースに係止させる手段としては種々の固定手段が考案され、既に実用化
されている。（例えば、下記特許文献１、２参照）。
【０００３】
図１０は、下記特許文献１に記載された液晶表示装置の断面図である。
【０００４】
この液晶表示装置２０は、下側シールドケースＬＦに光源２２、導光板２１等のバック
ライトユニット及び液晶表示パネルＰＮＬを収容し、この液晶表示パネルＰＮＬを前面枠
となる上側シールドケースＳＨＤで覆い、この上側シールドケースＳＨＤを下側シールド
ケースＬＦに固定手段２３を用いて固定した構成を有している。
【０００５】
この固定手段２３は、上側シールドケースＳＨＤの外周囲から垂下した側壁に形成され
た上フレーム爪２４と、下側シールドケースの直立側壁に形成された下フレームスロット
２５とからなり、上側シールドケースＳＨＤを下側シールドケースＬＦに取付けたとき、
上フレーム爪２４が下フレームスロット２５に係止される構成となっている。
【０００６】
また、図１１は、下記特許文献２に記載された液晶表示装置の一部を示し、図１１（ａ
）は要部断面図、図１１（ｂ）は要部側面図である。
【０００７】
この液晶表示装置３０は、上下フレーム３１、３２を備え、下フレーム３２に光源３３
、導光板３４等のバックライトユニット及び液晶表示パネル３５を収容し、この液晶表示
パネル３５を上フレーム３１で覆い、この上フレーム３１を下フレーム３２に固定した構
成を有している。
【０００８】
この固定手段３６は、上フレーム３１に設けた上フレーム爪３１ａと、下フレーム３２
に設けた下フレームスロット３２ａとからなり、上側シールドケースを下側シールドケー
スに取付けたとき、上フレーム爪３１ａが下フレームスロット３２ａに係止される構成と
なっている。なお、この固定手段３６は、特許文献１に記載のものと上下フレームの接触
面が異なっている。
【特許文献１】特開平１１−３８４３１号公報（図３）
【特許文献２】特開平７−１９９１８０号公報（図１、段落〔００１３〕〜〔００１８〕）
【発明の開示】
【発明が解決しようとする課題】
【０００９】
ところで、液晶表示装置は、カーナビゲーション装置、ノート型ＰＣ、小型テレビジョ
ン、携帯無線端末等の各種機器のディスプレー装置として幅広く使用されており、このよ
うな液晶表示装置は、それぞれの用途に応じて種々の仕様が決められ、これらの仕様のう
ち、ハード面では小型・軽量化が要求され、近年では、装置組立体の高さを低く、例えば
５．００ｍｍ以下にするような超薄型化が求められている。
【００１０】
このような超薄型化を実現する方策として、各種部品の小型化、薄型化、共用化等が必
須となるが、その一つとして、液晶表示パネルを固定する前面枠の高さ、すなわち前面枠
の側壁の高さを低く、例えば１．７５ｍｍ以下にすることが検討されている。しかしなが
ら、このような仕様を適応した場合、従来よりも低く形成された側壁に係止部を形成しな
ければならないことになる。
【００１１】
ところが、前記特許文献１、２に開示されている液晶表示装置では、いずれも係止爪を
構成する切り起し片が上フレームの側壁に形成されているので、この切り起し片を形成す
るための所定の高さが必須となり、極端に短長にすることができない。すなわち、この側
壁の高さを例えば上記の１．７５ｍｍ以下にしようとすると、このような短長の側壁に切
り起し片を形成することは、現在の加工技術において極めて難しいものであり、実質的に
は不可能に近い。
【００１２】
その結果、上記特許文献１、２に記載の液晶表示装置では、上側フレームの側壁を低く
することによって装置の薄型化を実現することができない。また、側壁の高さを低く形成
することができないために機械的強度を保つことが難しく、更に係止爪が切り起し片で構
成されているため、取付け或いは取外しを繰り返すと変形してしまい、初期の品質を維持
できなくなり、故障の原因となる恐れがある。
【００１３】
本発明は、このような従来技術の課題を解決するためになされたものであって、本発明
の目的は、液晶表示パネルを固定する前面枠の側壁を背低に形成することにより薄型化を
実現した液晶表示装置を提供することにある。
【課題を解決するための手段】
【００１４】
上記目的を達成するために、請求項１に記載の液晶表示装置は、液晶表示パネルと、前
記液晶表示パネルを照明するバックライトユニットと、前記各部材を収容するケースと、
前記ケース内に収容された各部材を固定する額縁状の前面枠と、を備える液晶表示装置に
おいて、前記前面枠は、その側壁を前記ケースの側壁の内壁面に接触するように取り付け
られ、かつ前記前面枠の側壁及び前記ケースの側壁に設けられた係止部により固定されて
おり、前記ケースの係止部はその側壁に設けた開口の開口端縁の一部を内側へ窪ませた係
止爪からなり、前記前面枠の係止部はその側壁に設けた係止穴からなり、前記係止穴の周
端が前記係止爪に係止されることにより前記前面枠の取り付けが行われていることを特徴
とする。
【００１５】
また、請求項２に記載の発明は、請求項１に記載の液晶表示装置に係り、前記係止爪の
先端部と、前記係止穴の前記係止爪に接触する周縁部は、何れも平坦面からなり、前記前
面枠を前記ケースに取り付ける際に、前記係止爪の先端部と前記係止穴の周縁部とが平面
接触で係止されていることを特徴とする。
【発明の効果】
【００１６】
本発明は上記構成を備えることにより以下に示す効果を奏する。すなわち、請求項１の
発明によれば、ケースの側壁は、液晶表示パネル、バックライトユニット等の部材を収容
できるように前面枠の高さに比べて倍以上高くなっているので、この側壁を利用すること
により係止爪を簡単に形成でき、一方、前面枠の係止部は、単に係止穴で構成されるため
、その側壁の高さを低くでき、以って液晶表示装置の薄型化が可能になる。
【００１７】
また、係止爪は、側壁に設けた開口の開口端縁の一部を内側へ凹ませた窪みで形成され
ているので、従来技術の切り起し片と比べて、側壁と窪みが繋がっている分だけ機械的強
度が強くなり、取付け或いは取外しを繰り返しても殆ど変形せず、初期の品質を維持でき
る。
【００１８】
さらに、前面枠の係止部を係止穴とすることにより、ケース側の係止部の形状に合わせ
ることが簡単になる。例えば、この液晶表示装置のうち液晶表示パネルと前面枠とがセッ
トにされて取引される場合、種々の機器、例えば小型テレビジョンが付設されたドアホン
製作メーカーに納入されるとき、このメーカーが設計するケース係止部の形状に合わせる
ことが簡単になる。また、この係止穴部分は、前面枠と側壁の重ね合わせかたにより隙間
のない構成をとることができるので、この部分からの光漏れ、或いはゴミの侵入を阻止で
きる。
【００１９】
請求項２の発明によれば、ケースの係止爪の先端部と、前面枠の係止穴の前記係止爪に
接触する周縁部が何れも平坦面からなり、前面枠をケースに取付けたとき、係止穴の周端
と係止爪の先端部とが平面接触されるので、係止面の接触面積が大きくなり、取り付けが
より強固になる。
【発明を実施するための最良の形態】
【００２０】
以下、図面を参照して本発明の最良の実施形態を説明する。但し、以下に示す実施形態
は、本発明の技術思想を具体化するための液晶表示装置を例示するものであって、本発明
をこの液晶表示装置に特定することを意図するものではなく、特許請求の範囲に含まれる
その他の実施形態のものも等しく適応し得るものである。
【実施例】
【００２１】
図１は本発明の一実施形態に係る液晶表示装置を示す分解斜視図、図２は図１の液晶表
示装置を構成する１部品のフレキシブル回路基板を示す平面図、図３は図１の液晶表示装
置の組立工程を説明する図であり、図３（ａ）は正面方向から見た斜視図、図３（ｂ）は
背面方向から見た斜視図、図４はフレキシブル回路基板の折畳み収納工程を示す図であり
、図４（ａ）はフレキシブル回路基板を折畳む前の状態を示す背面図、図４（ｂ）はフレ
キシブル回路基板を折畳んだ状態を示す背面図、図５は組み立てられた液晶表示装置を示
し、図５（ａ）は正面図、図５（ｂ）は図５（ａ）のＡ−Ａ線で切断した断面図、図６は
図５（ｂ）のＢ部の拡大断面図、図７は図５（ａ）のＡ−Ａで分断した液晶表示装置を示
し、図７（ａ）は外観斜視図、図７（ｂ）は図７（ａ）のＣ部の拡大断面図、図８は前面
枠とケースとの係合状態を分かり易く示した図であり、図８（ａ）はＤ−Ｄで切断した外
観斜視図、図８（ｂ）は図８（ａ）のＥ部拡大図である。
【００２２】
液晶表示装置１は、図１に示すように、液晶表示パネル２と、この液晶表示パネル２を
照明するバックライトユニット５と、このバックライトユニット５上に液晶表示パネル２
を載置し、この液晶表示パネル２を覆うように液晶表示パネル２とバックライトユニット
５とを一体に固定する前面枠１３等から構成される。
【００２３】
これらの部材のうち、液晶表示パネル２は、一対のガラス基板２ａ、２ｂを対向させ、
両ガラス基板２ａ、２ｂの間に液晶層（図示省略）を設けてシール材により接合し積層さ
れた構成を有している。また、２枚のガラス基板２ａ、２ｂのうち下方のガラス基板２ｂ
の一側端には複数個の液晶駆動用ＩＣチップ３が装着されており、前記ＩＣチップ３は液
晶表示パネル２の電極に接続され、他端は後述するフレキシブル回路基板４に接続される
。また、ガラス基板２ａ上には偏光板１４が装着される。
【００２４】
フレキシブル回路基板４は、図２（ａ）に示すように、一端４ａが液晶表示パネル２に
、他端４ｂが液晶表示パネルの駆動用電源等を供給するためのインタフェース回路基板（
図示省略）に接続され、一端４ａから他端４ｂにかけて幅狭に形成されたほぼＴ字状の可
撓性を有するフィルム状の薄板体で形成されている。また、Ｔ字状頭部４Ａは比較的長い
縦幅Ｈ１を有し、Ｔ字状脚部４Ｂは前記インタフェース回路基板に接続できるように所定
の長さＨ２を有している。
【００２５】
更に、前記Ｔ字状頭部４Ａの上下端に近接した場所には、２個の小穴４１、４２、及び
４１’、４２’がそれそれぞれ形成されている。これらの小穴４１、４２及び４１’、４
２’のうち一方の小穴４１、４１’は円形、他方の小穴４２、４２’は楕円形に形成され
ている。また、小穴４１に近接する位置には４つの穴４３が設けられており、この穴４３
は、バックライトユニット５内の光源から導出されたリード線１１のコネクタ１１’に取
り付けられ、リード線１１とフレキシブル回路基板４とを電気的に接続させ、これにより
フレキシブル回路基板４に供給される電源をリード線１１にも供給し得るものである。
【００２６】
バックライトユニット５は、図１に示すように、ケース６と、このケース６に収容され
る光学部材７と、液晶表示パネル２を支持する支持枠１０とで構成される。
【００２７】
これらの部品のうちケース６は、矩形状の底壁部６ａと、この底壁部６ａの外周縁から
折曲された背低の側壁部６ｂ〜６ｅとを有する上方が開口した箱型ケースであって、板金
加工により形成される。
【００２８】
底壁部６ａには、図３（ｂ）に示すように、側壁部６ｅに近接した位置に側壁部６ｅと
平行で比較的長いスリット６ｅ’が、側壁部６ｃに近接した位置に側壁部６ｃと平行で比
較的短く、かつ側壁部６ｄに近い位置にスリット６ｃ’がそれぞれ形成されている。スリ
ット６ｅ’の溝幅及び長さはフレキシブル回路基板４のＴ字状頭部４Ａを挿通できる程度
に形成され、またスリット６ｃ’は後述する光源に電源を供給するためのリード線１１を
挿通できる程度に形成される。また、底壁部６ａの背面には、図３（ｂ）に示すように、
前記スリット６ｅ’に近接する位置に所定間隔離して２本の円柱状の突起１２ａ、１２ｂ
が形成されている。
【００２９】
また、側壁部６ｅは、図１及び図７（ｂ）に示すように、その表面に複数個の係止部６
０が形成されている。この係止部６０は、細長の開口８１と、この開口の上方周縁のほぼ
中央部を内側へ凹ませて形成した係止爪８１ａとで構成される。この係止爪８１ａは、図
８（ｂ）に示すように、開口８１の開口端縁の一部を内側へ凹ませた窪みからなり、その
先端８１ｂが平坦面に形成される。この係止爪８１ａを開口端縁の一部を内側へ凹ませた
窪みで構成することにより、従来技術の切り起し片と比べて、機械的強度が強くなり、取
付け或いは取外しを繰り返しても殆ど変形せず、初期の品質を維持できるようになる。
【００３０】
また、前面枠１３は、外周端から下方へ垂下した側辺１３ｂ〜１３ｅを備え、この側辺
のうち一側辺１３ｅに係止爪８１ａと係合する細長の開口１３０が形成されている。
【００３１】
前面枠１３の側辺は、製品としてのスペックから計算すると、液晶パネル厚み（本実施
例では１．７５mm）程度の高さしかないので、開口１３０を形成することは可能であるが
、係止爪８１ａを形成することは困難で、製造したとしても精密性を有するため、コスト
が大幅にアップするという不利な面がある。このことから、液晶パネルとバックライトユ
ニットを内包する厚み（本実施例では３．７mm程度であり、前面枠１３の倍以上の厚み）
を確保することのできるケース６側へ係止爪８１ａを設けることが望ましい。
【００３２】
前面枠１３の係止部を開口１３０にすることにより、ケース６側の係止部８１ａの形状
に合わせることが簡単になる。例えば、液晶表示パネル２と前面枠１３とがセットにされ
て取引される場合、種々の機器、例えば小型テレビジョンが付設されたドアホン製作メー
カーに納入されるとき、このメーカーが設計するケース係止部の形状に合わせることが簡
単になる。また、開口１３０を小さくすれば、この部分からの光漏れ、或いはゴミの侵入
を阻止できる。
【００３３】
光学部材７は、図１に示すように、箱型ケース６の上方開口に嵌め込まれる外形を有し
，内部に導光板及び光学シートが収容される大きさの収容部を有し上方が開口した反射ケ
ース８と、液晶表示パネル２を照明する導光板（図示省略）と、この導光板の上に載置さ
れる光学シート９と、前記反射ケース８の一側端の近傍に配置され前記導光板に光を導出
する光源（図示省略）とから構成される。
【００３４】
反射ケース８は、上方が開口し周囲が背低の側壁部で囲まれた有底の箱型ケースで形成
される。また、この反射ケース８の内壁面は反射面となっている。また、複数の外周囲辺
８ｂ〜８ｅのうち一辺８ｅが幅広に形成され、この幅広辺には側壁部に沿ってスリット８
ｅ’が形成される。このスリット８ｅ’は、フレキシブル回路基板４を挿通できる大きさ
を有している。また、他の辺８ｃには、前記光源として複数個のＬＥＤ（図示省略）が装
着され、また、これらの光源に電力を供給するリード線１１を挿通するスリット８ｃ’が
形成される。
【００３５】
光学シート９は、複数枚のシート、例えばレンズシート、拡散シート及びプリズムシー
ト等からなり、導光板の上に積層されて配設される。また、支持枠１０は、図１に示すよ
うに、反射ケース８の上方開口に嵌め込まれる外形を有する額縁状の枠体からなり、外周
囲が４本の枠辺１０ｂ〜１０ｅで囲まれ、内部に導光板９を露出させる大きさの開口１０
ａを有している。
【００３６】
前面枠１３は、図１に示すように、箱型ケース８の上方開口に嵌め込まれる大きさを有
する額縁状の枠体からなり、外周囲が外周端縁から下方へ垂下した４本の枠辺１３ｂ〜１
３ｅで囲まれ内部に液晶表示パネル２の表示面を露出させる大きさの開口１３ａを有して
いる。また、４本の枠辺１３ｂ〜１３ｅのうち一枠辺１３ｅはその側壁に複数個の係止穴
１３０が形成される。この係止穴１３０は細長開口からなり、この係止穴１３０の下方の
縁が前記係止部６０の係止爪８１ａの先端８１ｂと係合される（図７、図８参照）。
【００３７】
以下、図１〜図６を参照して、液晶表示装置の組立工程を説明する。
【００３８】
先ず、液晶表示パネル２の一方のガラス基板２ｂ上の一側端に設けられたＩＣチップ３
にフレキシブル回路基板４を装着する。次いで、ケース６、光学部材７及び支持枠１０か
らなるバックライトユニット５上にフレキシブル回路基板４が接続された液晶表示パネル
２を載置し、前面枠１３で液晶表示パネル２の外周部を覆うようにケース６に固定する。
この固定は、前面枠１３の係止穴１３０をケース６の係止部６０に係合されることにより
行われる。すなわち、前面枠１３の側辺１３ｅをケース６の側壁部６ｅの内側に接触させ
ながら押し込むと、側辺１３ｅの係止穴１３０の下方に位置する側壁が係止爪８１ａに当
接しながら押し込まれ、係止穴１３０の下端縁が係止爪８１ａの先端８１ｂに係止される
。このように係止爪８１ａの先端８１ｂと係止穴１３０の周端とが平面接触されると、係
止面の接触面積が大きくなり、係止が安定になる。
【００３９】
また、液晶表示パネル２に装着されたフレキシブル回路基板４は、バックライトユニッ
ト５上へ載置する際に反射ケース８及びケース６に設けられた各スリット８ｅ’、６ｅ’
に挿通し（図３（ａ）、図３（ｂ）参照）、ケース６の背面に導出させる。（図４（ａ）
参照）。
【００４０】
スリット６ｅ’から導出したフレキシブル回路基板４は、図４（ｂ）に示すように、フ
レキシブル回路基板４の各小穴４１、４２をケース６背面の各突起１２ａ、１２ｂに係合
させる。このとき、一方の小穴４２が楕円形になっているので、この小穴４２の位置が突
起１２ａから少しずれていても簡単に嵌め込むことができる。
【００４１】
フレキシブル回路基板４の各小穴４１、４２をケース背面の各突起１２ａ、１２ｂに係
合させた後に、この回路基板４を途中から折り返して、他の各小穴４１’、４２’を再び
各突起１２ａ、１２ｂに係合させたのちフレキシブル回路基板４の端部４ｂをケース６の
外方へ導出させる。（図４（ｂ）、図５）。この折り返し状態を維持するために、フレキ
シブル回路基板４に両面粘着テープ（図示省略）を貼り付けてケース６の背面に固定する
のが好ましい。
【００４２】
上述のようにフレキシブル回路基板４を配設すれば、液晶表示パネル２の要する配線数
が多く、かつ外部のインタフェース回路基板に装着された小型コネクタに接続するために
、フレキシブル回路基板４のＴ字状頭部４Ａの縦幅ｃ（図９参照）が長くなっても、この
長尺のフレキシブル回路基板４をバックライトユニット５のケース６の背面に折畳むこと
でコンパクトにして簡単に取付けることができる。すなわち、液晶表示装置１内に特別の
収容スペースを設けることなく長尺なフレキシブル回路基板４を処理できる。また、この
ような構造とすれば、例えばフレキシブル回路基板４のＴ字状頭部４Ａがどのような長さ
であってもフレキシブル回路基板４の折り返し位置等を変更することにより対応すること
ができる。
【００４３】
また、このフレキシブル回路基板４に外から引っ張り力が加わっても、このフレキシブ
ル回路基板４はバックライトユニット５のケース６背面に突起１２ａ、１２ｂによって取
付けられているので、液晶表示パネル２との接続部４ａに外力が加わることなく、ＩＣチ
ップ３との接続が外れることによる接続不良等を回避できる。
【図面の簡単な説明】
【００４４】
【図１】図１は本発明の一実施形態に係る液晶表示装置を示す分解斜視図
【図２】図２は図１の液晶表示装置を構成する１部品のフレキシブル回路基板を示す平面図
【図３】図３は図１の液晶表示装置の組立工程を説明する図であり、図３（ａ）は正面方向から見た斜視図、図３（ｂ）は背面方向から見た斜視図
【図４】図４はフレキシブル回路基板の折畳み収納工程を示す図であり、図４（ａ）はフレキシブル回路基板を折畳む前の状態を示す背面図、図４（ｂ）はフレキシブル回路基板を折畳んだ状態を示す背面図
【図５】図５は組み立てられた液晶表示装置を示し、図５（ａ）は正面図、図５（ｂ）は図５（ａ）のＡ−Ａ線で切断した断面図
【図６】図６は図５（ｂ）のＢ部の拡大断面図
【図７】図７は図５（ａ）のＡ−Ａで分断した液晶表示装置を示し、図７（ａ）は外観斜視図、図７（ｂ）は図７（ａ）のＣ部の拡大断面図
【図８】図８は前面枠とケースとの係合状態を分かり易く示した図であり、図８（ａ）はＤ−Ｄで切断した外観斜視図、図８（ｂ）は図８（ａ）のＥ部拡大図
【図９】図９は、公知のフレキシブル回路基板の一例を示す平面図
【図１０】従来技術の液晶表示装置を示す断面図
【図１１】従来技術の液晶表示装置の一部を示し、図１１（ａ）は要部断面図、図１１（ｂ）は要部側面図である
【符号の説明】
【００４５】
１              液晶表示装置
２              液晶表示パネル
３              ＩＣチップ
４              フレキシブル回路基板
４Ａ            Ｔ字状頭部
４Ｂ            Ｔ字状脚部
５              バックライトユニット
６              ケース
６０              係止部
６ｅ’          スリット
７              光学部材
８              反射ケース
８ｅ’          スリット
１０            支持枠
１１            リード線
１２ａ、１２ｂ  突起
１３            前面枠
１３０            係止穴
１４            偏光板
４１、４２      小穴
４１’、４２’  小穴
８１            開口
８１ａ          係止爪
【図１】
2006163101.tif 000003
【図２】
2006163101.tif 000004
【図３】
2006163101.tif 000005
【図４】
2006163101.tif 000006
【図５】
2006163101.tif 000007
【図６】
2006163101.tif 000008
【図７】
2006163101.tif 000009
【図８】
2006163101.tif 000010
【図９】
2006163101.tif 000011
【図１０】
2006163101.tif 000012
【図１１】
2006163101.tif 000013